(57)【要約】【課題】携帯端末ユーザは、ワンセグ放送番組視聴中の簡単な操作で、番組に関連する情報を確実に取得、閲覧することができ、広告主にとっても商業的効果の高い情報提供システムを提供すること。【解決手段】携帯電話１３でワンセグ番組視聴中にデータ領域２３に表示されるリンク先がクリックされると、必要な情報が入力されたメールが自動的にサーバ１１に送信される。メール送信後、携帯電話１３はメール作成画面から番組視聴画面に切り替わる。サーバ１１は、携帯電話１３のメールアドレスに、ユーザ番号とユーザ番号を暗号化した暗号化文字列を関連付けて保存し、誘導先サイトのＵＲＬと暗号化文字列１３４等をリンク先として、ユーザ５の携帯電話１３に送付し、ユーザ５がそのリンク先をクリックすると、サーバ１１はその行為を成果情報１７１として保持し、ユーザ５を広告主７の関連サイトに誘導する。【選択図】図１
2007306260.tif 000002
【特許請求の範囲】
【請求項１】
サーバコンピュータと、
前記サーバコンピュータにネットワークを介してデータの送受信を行う通信機能を有する携帯端末と、
を具備し、
前記携帯端末は、
ワンセグ放送番組情報と、前記ワンセグ放送番組情報に付加されたデータを受信し、前記データを受信して前記サーバコンピュータにメール情報を送信し、
前記サーバコンピュータは、
前記携帯端末から送信されたメール情報を受信する受信手段と、
前記メール情報から取得した前記携帯端末の機体識別情報に対応させて、前記携帯端末のユーザを識別するユーザ識別情報と、前記ユーザ識別情報を暗号化した暗号化情報と、を保持する機体情報保持手段と、
前記ワンセグ放送番組に関する情報を提供するサイトに関するサイト情報を保持するサイト情報保持手段と、
前記メール情報を基に、前記サイト情報保持手段から所定の関連サイト情報を取得し、当該サイト情報と前記暗号化情報とをリンク先情報として、前記携帯端末に送信する送信手段と、
を具備することを特徴とする情報提供システム。
【請求項２】
前記メール情報は、前記ワンセグ放送番組の名称、前記ワンセグ放送番組内での促進情報、処理情報を含むことを特徴とする請求項１記載の情報提供システム。
【請求項３】
前記送信手段は、前記メール情報としてメールアドレスが指定されている場合、前記指定されたメールアドレス宛てに、前記リンク先情報を送信することを特徴とする請求項１或いは請求項２に記載の情報提供システム。
【請求項４】
前記サーバコンピュータは、前記送信手段によって送信されたリンク先情報に従ってサイトへのアクセスがなされた場合、前記アクセス情報を前記ユーザ識別情報と共に成果情報として保持する成果情報保持手段を、更に具備することを特徴とする請求項１から請求項３のうちのいずれかに記載の情報提供システム。
【請求項５】
ワンセグ放送を受信可能な携帯端末と、ネットワークを介してデータの送受信を行うサーバコンピュータであって、
前記携帯端末が受信した前記ワンセグ放送番組情報に付加されたデータを基に、前記携帯端末から送信されたメール情報を受信する受信手段と、
前記メール情報から取得した前記携帯端末の機体識別情報に対応させて、前記携帯端末のユーザを識別するユーザ識別情報と、前記ユーザ識別情報を暗号化した暗号化情報と、を保持する機体情報保持手段と、
前記ワンセグ放送番組に関する情報を提供するサイトに関するサイト情報を保持するサイト情報保持手段と、
前記メール情報を基に、前記サイト情報保持手段から所定の関連サイト情報を取得し、当該サイト情報と前記暗号化情報とをリンク先情報として、前記携帯端末に送信する送信手段と、
を具備することを特徴とするサーバコンピュータ。
【請求項６】
前記メール情報は、前記ワンセグ放送番組の名称、前記ワンセグ放送番組内での促進情報、処理情報、を含むことを特徴とする請求項５記載のサーバコンピュータ。
【請求項７】
前記送信手段は、前記メール情報としてメールアドレスが指定されている場合、前記指定されたメールアドレス宛てに、前記リンク先情報を送信することを特徴とする請求項５或いは請求項６に記載のサーバコンピュータ。
【請求項８】
前記送信手段によって送信されたリンク先情報に従ってサイトへのアクセスがなされた場合、前記アクセス情報を前記機体情報と共に成果情報として保持する成果情報保持手段を、更に具備することを特徴とする請求項５から請求項７のうちいずれかに記載されたサーバコンピュータ。
【請求項９】
コンピュータを請求項５から請求項８のいずれかに記載されたサーバコンピュータとして機能させるプログラム。
【請求項１０】
コンピュータを請求項５から請求項８のいずれかに記載されたサーバコンピュータとして機能させるプログラムを記録した記録媒体。
【発明の詳細な説明】
【技術分野】
【０００１】
本発明は、携帯端末に提供されるワンセグ放送に関連する情報を、携帯端末のユーザにとっては容易に提供し、情報提供者にとっては効果的に提供し、管理する機能に関する。
【背景技術】
【０００２】
近年、地上デジタル放送の電波を利用して、携帯端末向けに番組を放送するワンセグメント放送（ワンセグ放送）のサービスが開始された。
デジタル放送であるワンセグ放送では、動画と音声による放送と共に、インターネットのリンク先等の情報を提供するＢＭＬ（Broadcast Markup Language）データが携帯端末に提供される。（特許文献１）
ここで、携帯端末のユーザが携帯端末でワンセグ放送番組を見ながら、送られたＢＭＬデータを選択すると、例えば、ＢＭＬデータとして提供されたリンク先のサイトに画面が切り替わり、情報を得ることが可能である。
この情報とは、例えば、ワンセグ放送番組そのものに関する情報であったり、ワンセグ放送の広告主のサイト情報であったりする。
【０００３】
【特許文献１】特開２００５−１９７８２９号公報
【発明の開示】
【発明が解決しようとする課題】
【０００４】
しかしながら、ＢＭＬデータは放送と同時に提供され、ユーザによりＢＭＬデータがクリックされると、携帯端末の画面等が切り替わり、ユーザはワンセグ放送を楽しめなくなるという問題があった。
逆に、ワンセグ放送番組が面白いほど、ＢＭＬデータを利用した情報提供サイトへのアクセスが少なくなってしまい、ワンセグ放送番組の広告主等にとって商業的な効果が少なくなるという問題があった。
【０００５】
本発明は、以上の点に鑑みてなされたものであり、携帯端末ユーザは、ワンセグ放送番組視聴中の簡単な操作で、番組に関連する情報を確実に取得、閲覧することができ、広告主にとっても商業的効果が向上する情報提供システムを提供することを目的とする。
【課題を解決するための手段】
【０００６】
前述した目的を達成するために第１の発明は、サーバコンピュータと、前記サーバコンピュータにネットワークを介してデータの送受信を行う通信機能を有する携帯端末と、を具備し、前記携帯端末は、ワンセグ放送番組情報と、前記ワンセグ放送番組情報に付加されたデータを受信し、前記データを受信して前記サーバコンピュータにメール情報を送信し、前記サーバコンピュータは、前記携帯端末から送信されたメール情報を受信する受信手段と、前記メール情報から取得した前記携帯端末の機体識別情報に対応させて、前記携帯端末のユーザを識別するユーザ識別情報と、前記ユーザ識別情報を暗号化した暗号化情報と、を保持する機体情報保持手段と、前記ワンセグ放送番組に関する情報を提供するサイトに関するサイト情報を保持するサイト情報保持手段と、前記メール情報を基に、前記サイト情報保持手段から所定の関連サイト情報を取得し、当該サイト情報と前記暗号化情報とをリンク先情報として、前記携帯端末に送信する送信手段と、を具備することを特徴とする情報提供システムである。
【０００７】
携帯端末はワンセグ放送番組とワンセグ放送番組情報（ＢＭＬデータ）を受信し、ユーザは放送番組中に関連した情報を取得したい場合、そのリンク先情報を含むワンセグ放送番組情報を選択する。ワンセグ放送番組情報に例えば「ｍａｉｌＴｏ」を用いてサーバコンピュータ宛にメールを作成する機能を持たせて、メールで送信するメール情報として当該ワンセグ放送番組の名称、ワンセグ放送番組内での促進情報、処理情報等をサーバコンピュータに送信する。
このメール送信作業のために、ユーザが閲覧できないのはほんの短い時間である。
【０００８】
サーバコンピュータは、携帯端末から送信されたメール情報を基に、メールアドレスなど携帯端末を識別する機体識別情報を取得し、サーバによって独自に付加された携帯端末のユーザを識別するユーザ識別情報とともに保持する。また、サーバコンピュータは、ユーザ識別番号を暗号化し、その暗号化情報をも保持する。サーバコンピュータは、受信したメール情報を基に、携帯端末ユーザが情報提供を希望する所定の関連サイト情報を取得し、当該サイト情報と暗号化情報をリンク先情報として、携帯端末に送信する。
携帯端末ユーザは、番組放送終了後など時間のあるときに、そのリンク先情報に従って、情報を閲覧することができる。ユーザがリンク先情報のリンク先を選択すると、サーバコンピュータは、ユーザからのアクセスを受け付け、ユーザを情報提供するサイトに引導する。
このように、本発明によれば、ユーザは、ユーザが取得を希望するワンセグ放送番組に関連する情報を番組をほとんど中断することなく、確実に取得することができる。
ワンセグ番組を介するユーザのサイトへのアクセス利用が増えることによって、ワンセグ番組を提供する広告主にも商業的な効果が向上することになる。
【０００９】
また、サーバコンピュータは、送信手段によって送信されたリンク先情報に従ってサイトへのアクセスがなされた場合、そのアクセス情報を機体情報と共に成果情報として保持し、例えば、広告主に対してマーケッティング情報として提供することができる。
また、携帯端末から送られたメール情報としてメールアドレスが指定されている場合、送信手段は、リンク先情報を指定されたメールアドレス宛て送る。
例えば、ユーザが携帯端末ではなく、パーソナルコンピュータ（ＰＣ）にて情報を閲覧したい場合、メール情報としてＰＣのメールアドレスを入力することもできる。
【００１０】
第２の発明は、ワンセグ放送を受信可能な携帯端末と、ネットワークを介してデータの送受信を行うサーバコンピュータであって、前記携帯端末が受信した前記ワンセグ放送番組情報に付加されたデータを基に、前記携帯端末から送信されたメール情報を受信する受信手段と、前記メール情報から取得した前記携帯端末の機体識別情報に対応させて、前記携帯端末のユーザを識別するユーザ識別情報と、前記ユーザ識別情報を暗号化した暗号化情報と、を保持する機体情報保持手段と、前記ワンセグ放送番組に関する情報を提供するサイトに関するサイト情報を保持するサイト情報保持手段と、前記メール情報を基に、前記サイト情報保持手段から所定の関連サイト情報を取得し、当該サイト情報と前記暗号化情報とをリンク先情報として、前記携帯端末に送信する送信手段と、を具備することを特徴とするサーバコンピュータである。
第２の発明であるサーバコンピュータは、第１の発明である情報提供システムのサーバコンピュータに相当する。
【００１１】
第３の発明は、コンピュータを第２の発明のサーバコンピュータとして機能させるプログラムである。
第４の発明は、コンピュータを第２の発明のサーバコンピュータとして機能させるプログラムを記録した記録媒体である。
【００１２】
上述のプログラムをＣＤ−ＲＯＭ等の記録媒体に保持させて流通させてもよいし、このプログラムを通信回線を介して送受することもできる。
【発明の効果】
【００１３】
本発明によれば、携帯端末ユーザはワンセグ放送番組視聴中に番組閲覧をほとんど中断することなく、容易にかつ確実に情報を取得することができ、広告主は商業的効果を向上させることができる。
【発明を実施するための最良の形態】
【００１４】
以下に、添付図面を参照しながら、本発明に係る情報提供システム等の好適な実施形態について詳細に説明する。なお、以下の説明および添付図面において、略同一の機能構成を有する構成要素については、同一の符号を付することにより重複説明を省略することにする。
【００１５】
図１は、本発明の本実施の形態に係る情報提供システム１の概略構成を示す図である。
図１は、情報提供システム１の１例であり、図１に示すように、情報提供システム１は、サーバ１１、ネットワーク９を介してサーバ１１とデータ送受信が可能な携帯電話１３、端末装置１５、広告主サーバ４１等から構成される。
ネットワーク９は、インターネット、ローカルエリアネットワーク（ＬＡＮ）等のネットワークであり、有線、無線を問わない。
【００１６】
放送局３は、ワンセグ放送データ３７（番組の動画や音声データ等）有し、放送局サーバ３１はワンセグ放送番組に関連したデータ情報であるＢＭＬコンテンツ３５保持し、管理する。
【００１７】
携帯電話１３は、ワンセグ放送受信機能を有し、放送局３が提供するワンセグ放送番組及びワンセグ放送番組情報であるＢＭＬデータを受信する。
携帯電話１３の表示部２０において、放送画像領域２１はワンセグ放送番組の動画等を表示する表示領域であり、データ領域２３はＢＭＬデータを表示する表示領域である。
【００１８】
本実施の形態では携帯電話を例に説明するが、携帯電話１３は、放送局３が提供するワンセグ放送を受信し、ネットワーク９を介してサーバ１１と通信可能である携帯端末であれば良い。
【００１９】
広告主７は、放送局３によって提供されるワンセグ放送番組のスポンサー等である。広告主サーバ４１は、広告主７に備えられ、ネットワーク９に接続し、ネットワーク９を介してサーバ１１やユーザ５の携帯電話１３或いは端末装置１５と通信可能である。
【００２０】
広告主サーバ４１はコンテンツ４５を保持するデータベース４３を具備する。コンテンツ４５は、広告主７等が扱っている商品やサービス等に関する情報であり、ネットワーク９上で後悔されるものである。この中には、ワンセグ放送番組中にＣＭ、広告等で宣伝された商品やサービスに関係するものがある。
【００２１】
サーバ１１は、サーバコンピュータ等であり、ネットワークサーバ１１０、機体管理手段１１１、サイト管理手段１１２、成果計測手段１１３等を有する。
【００２２】
機体管理手段１１１は、機体情報１３１を保持する機体情報データベース１２１を操作、管理する。ここで、機体とは携帯電話１３を示し、機体情報１３１とは携帯端末１３に関する情報である。
【００２３】
サイト管理手段１１２は、サイト情報１５１を保持するサイト情報データベース１４１を操作、管理する。サイト情報１５１は、ワンセグ放送番組中に案内された商品やサービス等に関する情報を提供するサイトに関する情報等である。
【００２４】
成果計測手段１１３は、成果情報１７１を保持する成果情報データベース１７１を操作、管理する。成果情報１７１とは、ユーザ５が携帯電話１３或いは端末装置１５からサーバ１１を介してサイト情報の提供を受けた場合の記録等に関する情報である。
機体情報１３１、サイト情報１５１、成果情報１７１については後に詳しく説明する。
【００２５】
ネットワーク手段１１０は、ネットワーク９を介して、携帯電話１３、端末装置１５、広告主サーバ４１等と、サーバ１１間とのデータの送受信を行うとともに、携帯電話１３、端末装置１５、広告主サーバ４１からの要求に従って、機体管理手段１１１、サイト管理手段１１２、成果計測手段１１３等を起動する。
【００２６】
次に、サーバ１１のハードウェア構成を説明する。図２は、サーバ１１のハードウェア構成図である。
サーバ１１は、制御部２０１、記憶部２０２、メディア入出力部２０３、通信制御部２０４、入力部２０５、印刷部２０６、表示部２０７等が、システムバス２０９を介して接続されて構成される。
【００２７】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２８】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１１が行う後述する各種処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００２９】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３１１や、サーバ１１が行う後述の処理に相当するアプリケーションプログラム３１２、各種情報等が格納されている。
これらの各プログラムコードは、制御部２０１により必要に応じて読み出されてＲＡＭに移され、ＣＰＵに読み出されて各種の手段として実行される。
【００３０】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００３１】
通信制御部２０４は、通信制御装置、通信ポート等を有し、サーバ１１とネットワーク９間の通信を媒介する通信インタフェースであり、通信制御を行う。
【００３２】
入力部２０５は、データの入力を行い、例えば、キーボード、マウス等のポインティングデバイス、テンキー等の入力装置を有する。
入力部２０５を介して、サーバ１１に対して、操作指示、動作指示、データ入力等を行うことができる。
【００３３】
印刷部２０６は、プリンタであり、印刷出力処理を行う。
表示部２０７は、ＣＲＴモニタ、液晶パネル等のディスプレイ装置、ディスプレイ装置と連携してコンピュータのビデオ機能を実現するための論理回路等（ビデオアダプタ等）を有する。
システムバス２０９は、各装置間の制御信号、データ信号等の授受を媒介する経路である。
【００３４】
次に、サーバ１１の記憶部２０２が保持する情報について説明する。図３は、記憶部２０２が保持する情報を示す図である。
記憶部２０２内には、機体情報１３１、サイト情報１５１、成果情報１７１、制御プログラム３１１、アプリケーションプログラム３１２等が格納される。
【００３５】
ここで、制御プログラム３１１は、サーバ１１の各構成部分を駆動制御するプログラムであり、ＯＳ（オペレーティングシステム）に相当する。
アプリケーションプログラム３１２は、図４等に示すサーバ１１が行う処理に相当する実行可能プログラムであり、ネットワーク手段１１０、機体管理手段１１１、サイト管理手段１１２、成果計測手段１１３等に該当するプログラムである。
【００３６】
機体情報１３１は、メールアドレス１３２、ユーザ番号（ＩＤ）１３３、暗号化文字列１３４、・・・等の情報である。メールアドレス１３２は携帯電話１３からメールを発信する場合の送信者アドレスであり、携帯電話１３を識別するための機体識別情報である。機体識別情報として、メールアドレス１３２以外にも携帯電話１３の機体番号等を用いてもかまわない。
【００３７】
ユーザ番号（ＩＤ）１３３は、携帯電話１３のユーザ５に対してサーバ１１が独自に割り当てた、ユーザを識別するための識別番号である。
暗号化文字列１３４は、機体管理手段１１１がユーザ番号１３３をハッシュ関数などを用いて暗号化した暗号化情報である。
【００３８】
サイト情報１５１は、携帯用サイト情報１５３、ＰＣ用サイト情報１５５、…等である。携帯用サイト情報１５３は、ユーザ５の携帯電話１３から閲覧可能な、情報を提供する広告主７のＵＲＬと、そのＵＲＬを管理するためのＩＤ等である。ＰＣ用サイト情報１５５は、ユーザ５の端末装置１５から閲覧可能な、情報を提供する広告主７のＵＲＬと、そのＵＲＬを管理するためのＩＤ等である。
【００３９】
成果情報１７１は、ユーザ番号（ＩＤ）１３３、アクセス情報１７５、…とマーケティング情報１７７等である。
成果情報１７１は、機体情報１３１、サイト情報１５１と関連するデータである。ユーザ番号１３３は、機体情報１３１として保持された情報と同じであり、携帯電話１３のユーザ５を識別する情報である。アクセス情報は、サーバ１１か携帯端末１３或いは端末装置１５に送信されたＵＲＬ（サイト情報）を、ユーザ５がクリックした行為等をサーバ１１が計測し、ユーザ５のアクセス情報としてユーザごとに蓄積管理する。
機体管理手段１１１は、メールアドレス１３２に対応させて、ユーザ番号（ＩＤ）１３３、暗号化文字列１３４を保持する。
【００４０】
こうして蓄積された複数のユーザ番号１３３とアクセス情報１７５から、成果計測手段１１３は、ユーザのアクセスに関する統計等を取り、マーケティング情報１７７を作成し、保持する。
これらのマーケティング情報１７７を放送局３や広告主７に提供することも可能である。
【００４１】
次に、本情報提供システム１の動作について、図４に示すフローチャートに従って説明する。
放送局３は、放送局サーバ３１からワンセグ放送とＢＭＬを携帯電話１３に提供する（ステップ４０１）。携帯電話１３において、データ領域２３に表示されるリンク先をユーザ５がクリックすると（ステップ４０２）、携帯電話１３は、メールを作成し、サーバ１１に送信する（ただし、ユーザ５がサイト情報に関するメールを端末装置１５で受信したい場合はＰＣ用のメールアドレスを入力して送信する。尚、この操作は最初の１回だけであり、最初の１回でデータベースに登録されるため、２回目以降は登録されたＰＣのメールアドレスに自動的に送信される。）（ステップ４０３）。メール送信後、携帯電話１３はメール作成画面からワンセグ放送番組視聴画面に切り替わり、ユーザ５はそのままワンセグ放送を視聴する（ステップ４０４）。
【００４２】
次に、サーバ１１は、携帯電話１３のメールアドレスに、ユーザ番号１３３とユーザ番号１３３を暗号化した暗号化文字列１３４を関連付けて機体情報１３１として保存する（ステップ４０５）。携帯電話１３からのメール内容に従って、サイト情報１５１から取得した誘導先サイトのＵＲＬと暗号化文字列１３４等をリンク先として、ユーザ５の携帯電話１３或いは端末装置１５に送付する（ステップ４０６）。
【００４３】
ユーザ５は、携帯電話１３で受信したリンク先をクリックする（ステップ４０７）、或いは、端末装置１５で受信したリンク先をクリックする（ステップ４０８）。このユーザ５によるリンク先をクリックする行為はサーバ１１に送信され、サーバ１１は、リンク先のアクセス情報等をユーザごとに保持し（ステップ４０９）、ユーザ５を広告主７のサイトに誘導する（ステップ４１０）。
【００４４】
以下、各ステップについて詳細に説明する。
（ステップ４０１〜ステップ４０４）
ユーザ５の携帯電話１３には、ワンセグ放送番組及びＢＭＬが提供され、ユーザ５は番組を視聴する。
【００４５】
図５は、ワンセグ放送番組視聴時の携帯電話１３の画面２０を示す図である。図５において、放送画像領域２１にはワンセグ放送番組の動画が表示され、データ領域２３にはワンセグ放送番組に関連する案内情報のリンク先等が示される。
例えば、図５に示すように、放送画像領域２１で放送中のドラマ番組内で女優が着用するセーター５１に関して、このセーター５１に関する情報やセーター５１の購入情報等に関するリンク先５３がデータ領域２３に表示される。
【００４６】
ユーザ５がそのセーター５１に関する情報取得を希望する場合、ユーザ５はリンク先５３をクリックする。
リンク先５３には、例えば「ｍａｉｌＴｏ」が指定されており、リンク先５３をクリックされると、以下に説明する制御情報に従って携帯電話１３のメールソフトが動作し、送信先がサーバ１１となるメールが作成される。
【００４７】
図６は、携帯電話１３のメールソフトの制御情報６１の一例を示す図である。
ここで、文字列６３の「ｓｕｂｊｅｃｔ」は、セーター５１が登場するワンセグ放送番組のプロモーションＩＤであり、番組名や番組内のキャンペーン等を管理するための識別情報である。
また、図５に示す制御情報６１において、文字列６５「ｂｏｄｙ」は、任意に設定可能であり、処理や動作を指示するものであっても良い。例えば、携帯電話１３の機体番号等を取得するように支持するコマンドを指定してもよい。
【００４８】
また、文字列６７「ｔｏＡｄｒｅｓｓ」はメールを送信する宛先、即ち、サーバ１１のメールアドレスを示す。サーバ１１では、例えば、例えば放送局やその番組及び番組のキャンペーンごとにサイト情報１５１を管理するようにし、アドレスのサブドメインをキャンペーン番組のキャンペーンごとに指定してもよい。また、このアドレスを、文字列６３に示されたプロモーションＩＤとの組み合わせをチェックすることでユーザの不正参加等を防止することもできる。
【００４９】
図７は、表示部２０に表示されたメール作成画面７１を示す図である。図６に示す制御情報６１に従って、携帯電話１３では必要な情報が自動的に入力されたメールが作成され、メール作成画面７１に表示される。
【００５０】
メール作成画面７１において、メールの送信先となる宛先７５に表示されるのは、図６に示す文字列６７に指定されたサーバ１１のメールアドレスである。また、件名７７に表示されるのは、文字列６３で指定された番組のプロモーションＩＤである。メールの本文は空でよいため、ユーザの入力作業は無い。ただし、ユーザ５がセーター５１に関する情報を端末装置１５で取得、閲覧したい場合は、件名７７として、端末装置１５のメールアドレスを指定してもよい。
【００５１】
こうして、メール作成画面７１を確認後、ユーザ５が送信メニュー７３を選択すると、携帯電話１３からネットワーク９を介してサーバ１１にメールが送信される。
メールが送信されると、携帯電話１３の表示部２０は、図５に示すワンセグ放送番組の表示画面に戻り、ユーザ５は引き続き、ワンセグ放送番組を楽しむことができる。
【００５２】
ここで、ユーザ５が図５に示すリンク先５３をクリックしてからメールを送信するまでの操作は非常に簡単であり、かつ短時間にすむため、ユーザ５にとっても負担とはならない。
【００５３】
（ステップ４０５、ステップ４０６）
サーバ１１が携帯電話１３からのメールを受信すると、サーバ１１の機体管理手段１１１は、メールの送信者アドレス、即ち、携帯電話１３のメールアドレスを取得し、メールアドレスに対して、ユーザを識別するためのユーザ番号（ＩＤ）１３３及びユーザ番号１３３を暗号化して生成した暗号化文字列１３４を生成する。機体管理手段１１１は、メールアドレス１３２に関連付けて、ユーザ番号１３３とその暗号化文字列１３４を、機体情報１３１としてデータベース１２１に保持する。
【００５４】
次に、サーバ１１のサイト管理手段は、件名７５に記載されたプロモーションＩＤ等を参照してセーター５１の情報を提供するサイトのＵＲＬを取り出し、暗号化されたユーザ番号１３３を付加してリンク先として、携帯電話１３に送信する。
【００５５】
例えば、携帯電話１３に送信するリンク先の一例として、
http://（広告主７のサイトを示す文字列等のサブドメイン）（本プログラムが稼動するシステムのドメイン）/<%= promotion_id %><%= user_id %>/
とすると、携帯電話１３の表示部２０には
http://○○○/△△△/××
と表示される。ここで、例えば、「○○○」はセーター５１に関する情報を提供する広告主７のサイトのＵＲＬであり、「△△△」は番組のプロモーションＩＤであり、「××」は暗号化されたユーザＩＤ１３３である。
【００５６】
（ステップ４０７〜ステップ４１０）
サーバ１１は、情報を提供するサイトのＵＲＬに、プロモーションＩＤや暗号化されたユーザ番号１３３等を付加してリンク先とし、リンク先を案内するメールを携帯電話１３に送信する。
【００５７】
図８は、携帯電話１３に送信されたリンク先８３を通知するメール表示画面８１を示す図である。メール表示画面８１には、セーター５１の情報を提供する広告主のサイトのＵＲＬに、セーター５１が登場したワンセグ放送番組のプロモーションＩＤや前述の暗号化文字列１３４（暗号化されたユーザ番号１３３）が付加されたリンク先８３が表示される。
【００５８】
ユーザ５がリンク先８３をクリックすると、携帯電話１３からサーバ１１にリンク先８３をクリックしたことが送信される。サーバ１１の成果計測手段１１３は、リンク先８３に付加されていた暗号化文字列１３４からユーザ５を認証し、ユーザ５に関するアクセス情報１７５としてリンク先８３をクリックしたことを追加保持する。また、サーバ１１のネットワーク手段１１０は、携帯電話１３をリンク先８３で指定された広告主７のサイトにリンクさせる。
即ち、携帯電話１３は、サーバ１１を経由して広告主７の提供する関連サイトに誘導されることになる。
【００５９】
こうして、携帯電話１３に広告主７のサイトから所望の情報が提供される。
図１０は、セーター５１に関する情報が示された携帯電話１３の表示部２０を示す図である。ユーザ５は、リンク先９１をクリックして、更に情報を得ることができる。
【００６０】
尚、ユーザ５が端末装置１５で情報を取得、閲覧したいと希望すれば、端末装置１５から閲覧可能なリンク先を通知するメールが端末装置１５に送信され、そのメールのリンク先に従って端末装置１５で同様に情報を閲覧することが可能である。
このように、サーバ１１から送信される情報提供のリンク先を通知するメールはユーザ５が都合の良い時間に見ることができ、ユーザは情報をゆっくり閲覧することができる。
【００６１】
また、サーバ１１の成果計測手段１１３は、ユーザごとにアクセス情報１７５を蓄積し、それらの統計を取ることによって、マーケティング情報１７７を作成する。マーケティング情報１７７は、広告主７や放送局３に提供される。
【００６２】
また、番組放送中に送信したリンク先をクリックすることで、ユーザ５にとってはポイントが貯まるなどの特典をつけ、ワンセグ放送番組では計測が困難な視聴率を求め、マーケティング情報１７７として放送局３等に提供しても良い。
【００６３】
以上、添付図面を参照しながら、本発明に係る情報提供システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００６４】
【図１】本実施の形態に係る情報提供システム１の概略構成を示す図
【図２】サーバ１１のハードウェア構成図
【図３】記憶部２０２が保持する情報を示す図
【図４】情報提供システム１の処理の手順を示すフローチャート
【図５】ワンセグ放送番組視聴中の携帯電話１３の表示部２０を示す図
【図６】制御情報６１を示す図
【図７】メール作成画面７１を示す図
【図８】リンク先８３を示す表示部２０を示す図
【図９】関連サイト情報を表示する表示部２０を示す図
【符号の説明】
【００６５】
１………情報提供システム
３………放送局
５………ユーザ
７………広告主
９………ネットワーク
１１………サーバ
１３………携帯電話
１５………端末装置
２１………放送画像領域
２３………データ領域
１１０………ネットワーク
１１１………機体管理手段
１１２………サイト管理手段
１１３………成果管理手段
１３１………機体情報
１５１………サイト情報
１７１………成果情報
【図１】
2007306260.tif 000003
【図２】
2007306260.tif 000004
【図３】
2007306260.tif 000005
【図４】
2007306260.tif 000006
【図５】
2007306260.tif 000007
【図６】
2007306260.tif 000008
【図７】
2007306260.tif 000009
【図８】
2007306260.tif 000010
【図９】
2007306260.tif 000011